(57)【要約】  本発明は、被験者（１００）の視力パラメータの決定を補助する方法であって、カメラ（１０）を用いて、２つの異なる角度から被験者の顔の２つの画像（Ｉ１，Ｉ２）を撮影するステップ（１２０）であって、被験者（Ｓ）は、自然な遠方視姿勢であるステップと、画像が撮影される時に、カメラ（１０）の地面に対する傾斜を決定するステップ（１３０）と、この傾斜から被験者（Ｓ）の顔の傾斜と向きとを推定するステップ（１４０）と、を備え、カメラは、画像（Ｉ１，Ｉ２）の撮影（１２０）の際に、被験者の中心窩領域の外に配置されることを特徴とする方法に関する。
2015532129.tif 000002
【特許請求の範囲】
【請求項１】
被験者（Ｓ）の視力パラメータの決定を補助する方法であって、
画像取り込み装置（１０）を用いて、２つの異なる角度で被験者の顔の２つの画像（Ｉ１，Ｉ２）を取り込むステップ（１２０）であって、前記被験者（Ｓ）が自然な遠方視姿勢であるステップと、
画像取り込み時に、前記画像取り込み装置（１０）の地面に対する傾斜を決定するステップ（１３０）と、
前記傾斜から前記被験者（Ｓ）の顔の傾斜とキャップ角度値とを推定するステップ（１４０）と、を備え、
前記画像取り込み装置が、前記画像（Ｉ１，Ｉ２）の取り込み（１２０）時に、前記被験者の中心窩領域の外に配置されることを特徴とする方法。
【請求項２】
前記画像取り込み装置（１０）は、画像取り込み（１２０）中に、前記被験者（Ｓ）の視界の領域の外に置かれ、前記領域は、前記被験者（Ｓ）の光軸（Ｘ）に対して５°〜３０°、好ましくは１５°と２５°の間の頂角を有する円錐を形成する、請求項１に記載の方法。
【請求項３】
前記画像（Ｉ２）の１つが、前記被験者の前方下側から撮影される、請求項１または２に記載の方法。
【請求項４】
前記画像（Ｉ２）の１つが、横側から撮影される、請求項１から３のいずれかに記載の方法。
【請求項５】
前記被験者（Ｓ）の、瞳孔の少なくとも１つまたは角膜反射の少なくとも１つは、前記取り込み画像（Ｉ１，Ｉ２）のそれぞれで可視である、請求項１から４のいずれかに記載の方法。
【請求項６】
前記画像で視覚マーカ（４５）を識別するステップをさらに含み、前記視覚マーカ（４５）は、前記被験者（Ｓ）の顔に固定して着用されたアクセサリ（４０）に形成されている、請求項１から５のいずれかに記載の方法。
【請求項７】
前記画像取り込み装置（２０）は、ビデオカメラであり、画像を取り込む前記ステップは、
前記被験者の顔を撮影して、異なる視野角で複数の画像を取得するサブステップと、
前記被験者の前記画像のうち、２つの異なる角度の、前記被験者（Ｓ）の顔の少なくとも２つの画像（Ｉ１，Ｉ２）を選択するサブステップと、を備える、請求項１から６のいずれかに記載の方法。
【請求項８】
前記画像で視覚マーカ（４５）を識別するステップをさらに備え、前記視覚マーカ（４５）は、前記被験者（Ｓ）の顔の特異点である、請求項１から５のいずれかに記載の方法。
【請求項９】
前記画像（Ｉ１）、（Ｉ２）は、２つの画像取り込み装置（１０）によって同時に撮影され、前記画像取り込み装置の位置および相対的な方向は既知である、請求項８に記載の方法。
【請求項１０】
前記２つの画像（Ｉ１，Ｉ２）の取り込み時に、前記被験者（Ｓ）の顔が照明される、請求項１から９のいずれかに記載の方法。
【請求項１１】
前記画像（Ｉ１，Ｉ２）を取り込むステップ中に、前記被験者（Ｓ）に面する支持部材、例えば垂直セグメントに向けて光線が投射される、請求項１から１０のいずれかに記載の方法。
【請求項１２】
前記被験者の顔（Ｓ）の前記傾斜および前記キャップ角度値は、前記画像取り込み装置とは別のローカルコンピュータ上で画像取り込み装置によりローカルに決定されるか、またはインターネットサーバ上で遠隔的に決定される、請求項１から１１のいずれかに記載の方法。
【請求項１３】
前記画像取り込み装置（１０）は、ビデオカメラ（１１）を備えるデジタルタブレットである、請求項１から１２のいずれかに記載の方法。
【発明の詳細な説明】
【技術分野】
【０００１】
本発明は、オペレータ、一般的には眼鏡技師により行われる、被験者の顔の全体的な姿勢の分析と、測定値の取得とに関し、オペレータは、被験者が装用すべき補正レンズまたは眼用レンズの光学特性の個別化および最適化ならびにフレームへの取り付けの目的で、必要なデータの取得を進めて、被験者の目に関する補正レンズの挿入の概略構成を決定する。
【背景技術】
【０００２】
被験者の目の瞳孔とフレームとの相対的な位置を比較して、フレーム内のレンズの位置を最適化することを目的とした数多くのシステムが、既に知られている。この目的を達成するために、フレームを着用した顔の固定画像または動画像が、カメラにより撮影され、フレームの位置の検出とともに目の位置の検出が行われる。
【０００３】
特に、本出願人による仏国特許第ＦＲ２８６０８８７号公報は、固定カメラの前で動く被験者の顔の一連の動画像に基づき、カメラ上で顔が最良に合焦された基準画像を決定して、目とフレームとの相対的な位置について最良の規定になるようにするシステムを開示している。
【０００４】
並行して、眼用レンズの製造業者は、今日、被験者の視線が動いた際の被験者の挙動を試験することにより、特に、いわゆる累進レンズの技術において、そのようなレンズの設計の最適化を試みている。例えば、本出願人名による仏国特許第ＦＲ２８９２５２９号公報は、
−  カメラと、
−  カメラによって撮影された画像を表示させる画面と、
−  被験者の顔に固定して着用可能であり、複数の視覚マーカを保持するアクセサリと、
−  カメラに対して少なくとも２つの決定位置Ｉ１，Ｉ２をカバーすることが可能な視対象を形成する手段と、
−  カメラにより撮影された画像で視覚マーカの位置を分析することが可能な画像分析手段と、を備えるシステムを開示している。この画像分析手段は、視対象形成手段と異なる領域を被験者が注視する際に、アクセサリの空間内、従って被験者の顔の位置およびキャップ角度値を推測して、一方の対象から他方の対象へと視力が変位する間に、特に、顔の動きの相対的重要度、ならびに目の動きの相対的重要度に関する情報を推測する。
【０００５】
典型的には、アクセサリは、図２に示されるアクセサリに適合させることができ、かつ、フレームの向きを目立たせるように特定して選択された幾何学的インジケータ形成手段を含む。幾何学的インジケータは、フレームの枝部および／またはフレームの表面のより上位の支持部に沿って置かれた、一連の視覚マーカを支持する直線的な支持部で構成することができる。
【０００６】
システムは、次いで、瞳孔の位置、瞳孔の間隔等のパラメータを正確に測定することが可能である。なぜなら、被験者と視覚マーカとの位置、ならびに被験者の視線の方向が（視対象によって）わかり、測定値のシステム自体に対して空間内で決定されるためである。
【０００７】
正確に測定するために、基準姿勢における被験者の顔や、システムを用いた測定を行うのに適した位置での注視も必要である。
【０００８】
本発明に関するシステムの基準姿勢は、遠方視の姿勢であって、被験者は、自然な姿勢に保持され、被験者の前方の水平面内における無限遠点を見る。変形例として、基準姿勢は、読書姿勢などの近方視姿勢に対応することもでき、この近方視姿勢は、被験者がその目から約４０センチ離れた点を見て、かつ被験者の視線を水平面に比べて３０°下げた位置である。
【０００９】
被験者の姿勢は、例えば、既知の視線方向に関する２つの角度を用いて（非限定の方法で）説明することができる。
【００１０】
第１の角度は、顔のキャップ角度値に相当し、これは、被験者が、真正面に置かれた物体を見た際に、顔が多少左または右に向く傾向を反映した方向角である。
【００１１】
第２の角度は、顔の垂直方向の傾斜に対応し、これは、被験者が、真正面に置かれた物体を見た際に、顔が多少上下する傾向を反映した方向角である。所与のフレームにおいて、この第２の角度は、垂直方向に対する補正レンズの平均平面の傾斜の測定値である、装用時前傾角の尺度とすることができる。
【００１２】
被験者の瞳孔間の距離（補正器の製造のためのパラメータの１つ）を決定するために、眼鏡技師は、一般的に瞳孔計を用いる。この場合、被験者の前に瞳孔計があるので、キャップ角度値は任意にゼロとみなされる。それでも、この装置は、個別に決定すべき装用時前傾角も、該当する場合に被験者の頭部を横方向に保持する方法（被験者が基準位置においてむしろ右または左を見る傾向）も考慮しない。
【００１３】
このやり方は、従って、被験者がとる姿勢が、被験者の自然な姿勢に対応することを保証しない。この自然な姿勢は、しかし、被験者の最も快適な姿勢で被験者が眼鏡のレンズにその視線を送る方法を決めるため、非常に重要である。悪い姿勢は、従って、レンズの中心合わせの測定不良をもたらす。眼鏡のレンズを通した視線の投射の計算にとって、姿勢の正しい画像を選択すること、それゆえ測定中に被験者の姿勢の質を評価することは、最重要である。
【００１４】
さらに、上述したこれらのシステムおよび手段の全ては、いくらかの視界の妨げなしに被験者が水平にまっすぐ前方の離れた箇所を見ることができず、視力装置は、被験者が遠方視している際に、被験者の視界内に配置される。実際に、遠近法の誤差を避けるために、画像取り込み装置は、被験者の視線の光軸Ｘにできるだけ近くなければならず、従って、被験者から非常に遠くに装置を置く（店内で大きな空間を占めること、および広いズームを有するカメラの使用）か、または目標点を被験者からカメラよりも遠くに模擬することのいずれかを必要とする。視対象は、従って、しばしば、ユーザにとって妨げとなる。例えば、鏡における被験者の反射は、被験者と視対象との間の距離を二倍にすることを可能にするが、被験者が近視であるか、または鏡が（被験者の大きさまたは被験者の反射の質にとって）十分に没入可能でない場合には、被験者の顔の正確な位置に合焦することは困難であることが分かっている。よって、被験者は、常に困難を伴ってしか、その自然な遠方視姿勢をとることができない。
【００１５】
加えて、これらのシステムは、測定システムの設置に利用可能なスペースが制限され、これにより、視対象は、一般的に、被験者に近いままとなり、その視線を視対象に合焦することを、さらに被験者に強いる。最終的に、これらのシステムは、大きく、遠方視に近似するための最小限のスペースを必要とする。
【００１６】
独国特許第ＤＥ１０２０１００１５７９５号公報は、画面と、画面の両側に配置された２つのカメラと、処理システムとを含む、被験者のセンタリングを決定するための装置を説明している。カメラは、被験者には見えないことが好ましく、その一方で、視力パラメータを測定するために被験者に特定の姿勢をとらせるために選択される画像は、画面に表示される。頭部−目の定数、近方視および遠方視における目の回転中心を含むいくつかのパラメータを決定することができる。それでも、装置の説明による方法は、装置を着用する人に、短すぎる距離を課し、これは、この着用者の視線を制限し、着用者自身が自然な基準姿勢をとって、無限遠を見られない。さらに、この文献に記載のシステムは、非常に大きい。
【００１７】
欧州特許第ＥＰ１７４７７５０号公報は、被験者の視覚挙動を確立する方法を説明しており、この方法は、
−  被験者にアクセサリを提供するステップと、
−  被験者を画面に対面して着席させるステップであって、被験者は、画面の両側に延びる各カメラに対して中心にいなければならない、被験者の顔の立体視カードを得るステップと、
−  被験者に、画面上の画像を追い、かつ顔の動きを追うように要求するステップと、
−  これらの画像に基づき、被験者の挙動を決定するステップと、を含む。
【００１８】
ここでも、方法は、その実施のために大きなスペースを必要とし、被験者に、比較的近距離に設定された標的を固定することを強いるものであり、これは、測定中に被験者が自然な姿勢をとることができない。
【００１９】
最後に、仏国特許第ＦＲ２９７１８６１号公報は、着用者の視力の少なくとも１つのパラメータを、周辺光の条件にかかわらず決定するための方法を説明しており、この方法では、チェッカー盤型の調整要素の位置を、被験者の頭部の画像上で識別し、この画像を用いて、その後の取り込み画像における輝度を調整する。このために、この文献は、カメラを用いていくつかの画像を取り込む方法を提案している。先の画像にて検出される調整要素によって、各取り込み間の制約は改善されている。この方法は、よって、画像取り込み装置により取り込まれる画像の品質を改善することを目的とする。この方法は、しかし、大きなシステムも必要とし、被験者の画像は、正面または側面で撮影され、測定間の被験者の視線を推測的に制約する。
【発明の概要】
【発明が解決しようとする課題】
【００２０】
本発明目的の一つは、被験者の凝視を強要せず、かつこれまで知られている器具よりも万能な視力補正器を作成するために必要な視力パラメータを正確に決定すること、およびこのコストを抑制することを可能にする、新規な測定方法と、関連するシステムとを提案する。
【００２１】
ここで、視力パラメータは、特に、装用時前傾角、瞳孔間距離／高さの測定、およびこの測定中の目の輻輳、眼鏡と目の距離、キャップ角度値、目と頭部に関する係数等、に含まれるパラメータを意味する。
【課題を解決するための手段】
【００２２】
このために、本発明は、被験者の視力のパラメータの決定を補助する方法であって、
−  携帯型の画像取り込み装置を用いて、２つの異なる角度で被験者の顔の２つの画像を取り込むステップであって、被験者が自然な遠方視の姿勢である、ステップと、
−  画像が取り込まれた時に、画像取り込み装置の地面に対する傾斜を決定するステップと、
−  この傾斜から、被験者の顔の傾斜とキャップ角度値とを推定するステップと、を備え、
画像取り込み装置は、画像が取り込まれた時に、被験者の中心窩領域の外に配置される、方法を提案する。
【００２３】
これにより、画像取り込み装置は、被験者の視界において視覚的な妨げとならない。実際に、画像取り込み装置は、もはや被験者の視線の軸を切断しなくなり、よって、現在、スペースまたは測定装置に制約されることなく水平に遠くの対象に合焦すること、ならびに頭部の姿勢に関連する誤差を制限すること、および／または瞳孔間距離／高さの測定における目の輻輳、が可能になる。
【００２４】
方法の特定の任意だが非限定の特徴は、以下の通りである。
【００２５】
*  画像取り込み装置は、画像の取り込み中に、被験者の光軸に対して５°〜３０°、好ましくは１５°と２５°の間の頂角を有する円錐を形成する被験者の視界の領域の外に置かれる。
【００２６】
*  画像の１つは、被験者に向かって下側から見て撮影される。
【００２７】
*  画像の１つは、横側から撮影される。
【００２８】
このような画像取り込み装置の配置は、被験者の視界を遮らないことにより、被験者の視線および位置を制約することを回避できる。
【００２９】
*  被験者の瞳孔の少なくとも１つまたは角膜反射の少なくとも１つは、取り込み画像のそれぞれで可視である。
【００３０】
*  処理は、画像で視覚マーカを識別するステップをさらに備え、視覚マーカは、被験者の顔に固定して着用されることが可能なアクセサリに形成されている。
【００３１】
*  画像取り込み装置は、ビデオカメラであり、画像取り込みステップは、
−  被験者の顔を撮影し、異なる視野角で被験者の複数の画像を得るサブステップと、
−  被験者の画像のうち、２つの異なる角度の、被験者の顔の少なくとも２つの画像を選択するサブステップと、を備える。
【００３２】
*  方法は、また、画像で視覚マーカを識別するステップを含み、視覚マーカは、被験者の顔の特異点である。
【００３３】
*  画像は、２つの画像取り込み装置によって同時に撮影され、画像取り込み装置の位置および互いのキャップ角度値は、既知である。
【００３４】
*  ２つの画像の取り込み時に、被験者の顔が照明される。
【００３５】
*  画像を取り込むステップ中に、被験者（Ｓ）に面する壁、例えば垂直セグメントに向けて光線が投射される。
【００３６】
*  被験者の顔の傾斜およびキャップ角度値は、画像取り込み装置とは別のローカルコンピュータ上で画像取り込み装置によりローカルに決定されるか、またはインターネットサーバ上で遠隔的に決定される。
【００３７】
*  画像取り込み装置は、ビデオカメラを備えるデジタルタブレットである。
【００３８】
本発明に係る補助方法を実施する可能性は、よって、画像を撮影し、被験者の視力パラメータを決定するために、デジタルタブレットを採用することを可能にし、デジタルタブレットは、市販または専用のものとすることができる。
【図面の簡単な説明】
【００３９】
本発明の他の特徴、目的および効果は、非限定の例として与えられる添付の図面を参照し、以下に続く詳細な説明を読むことによって、より明らかとなる。
【図１】本発明に係る、被験者の視力パラメータの決定を補助するシステムの一実施形態を示す概略図である。
【図２】本発明に係るシステムと共に用いることができるアクセサリの一例を示す図である。
【図３】本発明に係るシステムに用いることができる画像取り込み装置の実施形態を示す図である。
【図４ａ】本発明に係る画像取り込みの例を示す図である。
【図４ｂ】本発明に係る画像取り込みの例を示す図である。
【図５】本発明に係る、被験者の視力パラメータの決定を補助する方法の実施形態の種々のステップを示すフローチャートである。
【発明を実施するための形態】
【００４０】
本発明に係る、被験者Ｓの視力パラメータの決定を補助するためのシステム１は、特に、
−  被験者Ｓの顔の画像であって、視覚マーカを含んでいる被験者の顔を撮影する画像取り込み装置１０と、
−  画像取り込み装置と一体に動く傾斜計と、
−  画像取り込み装置と傾斜計とに接続された処理手段と、
を備える。
【００４１】
一般的に、被験者の視力パラメータを決定するために、オペレータ（例えば眼鏡技師）は、異なる角度で被験者の少なくとも２つの画像Ｉ１，Ｉ２を撮影して、この画像取り込み装置によって、被験者が遠くを見ている間に、画像取り込みＩ１，Ｉ２のいずれにも被験者を妨げないようにする。
【００４２】
このために、画像取り込み装置は、被験者の光学軸Ｘから離間して、好ましくは被験者の中心窩領域の外に置かれ、被験者の視線を妨げず、かつ、被験者Ｓは自然な姿勢をとり、外的な制約なしに遠くを見ることを確保するようにする。被験者Ｓを妨げないようにして中心窩領域を遮らないことが、実際に重要である。しかし、妨げのリスクを減らすために、中心窩領域よりも大きな領域を制限しないことが好ましいことがある。よって、一実施形態によれば、画像取り込み装置１０は、取り込み画像Ｉ１およびＩ２のそれぞれに関し、被験者Ｓの目のそれぞれの光軸Ｘに対して５°〜３０°、好ましくは１５°と２５°の間の頂角を有する円錐（円錐の頂角は、被験者の顔にて光軸上に配置される）を形成する、被験者Ｓの視界の領域の外に置かれる。
【００４３】
画像取り込み装置１０が被験者Ｓの光軸Ｘから遠いほど、その存在と、被験者Ｓの瞳孔の少なくとも１つ（または少なくとも角膜反射）を正しく見分ける能力の制限とによる被験者の妨げが少なくなることが認められる。
【００４４】
このとき、視対象は被験者Ｓに課されず、従って、被験者は、自然な遠方視姿勢をとることができる。しかし、オペレータがこのような標的を被験者Ｓに提案して、例えば、被験者Ｓにまっすぐ前方を見るように促すことは可能である。このような標的は、しかし、システム１の一部ではなく、その位置は、画像取り込み装置１０に対して規定されない。
【００４５】
画像取り込み装置１０の画像と傾斜とは、処理手段によって分析され、処理手段は、この分析から、被験者の視力パラメータを推定する。
【００４６】
画像取り込み装置１０
画像取り込み装置１０は、ビデオカメラ、写真装置等とすることができる。画像取り込み装置１０によって撮影される画像は、特にデジタル画像として、処理手段によって直接処理することができる。
【００４７】
画像取り込み装置１０は、好ましくは広角レンズを有して、被験者の顔の全体画像を短距離、つまり１０センチから１メートルの間で撮影できる。画像取り込み装置１０の解像度は、その焦点距離、その人までの距離等に依存し、一般的に、顔内の色マーカまたは特異点などの視覚マーカ４５を十分に識別できなければならない。例えば、画像取り込み装置１０の解像度は、目の画像が０．３ｍｍごとに少なくとも１つの画素を有するのに十分なものでなければならない。
【００４８】
システム１は、また、画像取り込み装置１０と一体に動き、水平面に対する画像取り込み装置１０の傾斜を決定するための傾斜計２０を備える。好ましくは、傾斜計２０は、画像取り込み装置１０と一体である。傾斜計２０は、例えば、加速度信号処理回路に接続された加速度計とすることができる。加速度計は、また、傾斜計の信頼性を向上させるために、電子ジャイロスコープに接続することもできる。
【００４９】
任意に、特に被験者の角膜反射を測定するために、システム１は、被験者の顔用に照明手段１２を備えることもでき、この照明手段１２は、画像取り込み装置１０と一体とすることができる。
【００５０】
さらに、画像取り込み装置１０は、その使用を容易にするために、オペレータによって移動可能かつ携帯可能とすることができる。画像取り込み装置は、追加で、画像取り込み装置１０により撮影された画像がオペレータに見えるように画面１４を備えることができる。
【００５１】
図示された実施形態において、画像取り込み装置１０は、例えば、デジタルタブレットであり、その後面１６に、画像を撮影可能なビデオカメラ１１と、加速度計２０とを備える。タブレット１０は、追加で、その前面に、カメラ１１により撮影された画像をリアルタイムで見せる画面１４を備えることができる。これは、例えば、ｉＰａｄ（登録商標）型またはＧａｌａｘｙ  ｔａｂ（登録商標）型の市販のタブレット、Ｉｐｈｏｎｅ（登録商標）、被験者の視力パラメータの決定の用途に特定して作られ、かつ画像取り込み装置と傾斜計とを含むタブレット、またはスマートフォンとさえすることができる。
【００５２】
好適には、カメラ１１は、タブレット１０の幾何学的中心に対してオフセットさせることができ、例えば、タブレット１０の端部の１つの近くに配置されて、被験者Ｓの画像の取り込みを容易にしつつ、被験者の中心窩領域の外にとどまり、好ましくは被験者Ｓの光軸Ｘに対して５°から３０°、より好ましくは１５°から２５°の間の頂角を有する円錐を形成する視界の領域の外にとどまり、被験者の自然な遠方視姿勢を乱さないようにする。
【００５３】
任意に、タブレット１０のフラッシュを、画像取り込み中に照明手段１２として用いることができる。タブレット１０には、しかし、フラッシュとは別の、特にタブレット１０の後面に取り付けられた照明手段１２を設けて、画像取り込み中に被験者Ｓの顔を照明させることができる。
【００５４】
さらに、画像取り込み装置１０は、また、被験者Ｓに面する支持部材に対して、視対象を投射するための投射器１８を備えることもできる。例えば、投射器１８は、壁に光線を投射するように設計された低出力レーザとすることができる。
【００５５】
別の実施形態によれば、画像取り込み装置１０は、画面１２により形成することもでき、画面１２には、少なくともカメラ１１を備えたアーム１６が、着脱可能に固定されているかまたは常時固定されている。アーム１６は、画面１４の端部の１つ、例えば上端部に、画面の端部に対して全体的に垂直な軸を中心として、関節接合することができる。画像取り込み中に被験者Ｓを妨げないために、アーム１６は、９０°を超える角度、例えばおよそ１２０°旋回することができる。アームは、カメラ１１による撮影の間に、その延長軸を中心に（部分的にまたはその全長に渡って）旋回して、被験者Ｓの顔をより容易にフレーミングさせるようにすることもできる。例えば、アーム１６は、それ自体の軸を中心として、およそ２００°の角度を回転することができる。
【００５６】
例として、アーム１６は、約３０センチの長さとすること、およびアームに沿って並べられ約１０センチ離間された２つのカメラ１１を備えることができる。この実施形態は、２つの異なる視野角で被験者Ｓの顔の２つの写真Ｉ１，Ｉ２を、同時に撮影することを可能にする。
【００５７】
この実施形態において、カメラ１１が設けられたアーム１６は、市販のタブレット１０に取り付けることができる。傾斜計２０は、タブレット１０（またはこれと一体）か、またはアーム１６自体に固定することができる。さらに、アーム１６の取り付けは、画面１０上に対して直接、あるいはアダプタ１７（特に画面が市販のデジタルタブレットである場合）によって行うことができる。
【００５８】
視覚マーカ
視覚マーカは、顔面の特異点か、または被験者Ｓの顔に着用されるアクセサリ４０によって保持される視覚マーカとすることができる。
【００５９】
アクセサリ４０は、特に、図２に示された、仏国特許第２８６０８８７号または仏国特許第２８９２５２９号公報にて説明されたアクセサリに適合させることができる。このアクセサリ４０は、例えば透明のプラスチック製であり、本体に対して後部にほぼ直角に延びる水平の２つの側方の枝部４３を有する、水平方向に長い本体４２を備える。本体４２は、自身の下端部に沿って、被験者Ｓにより着用された眼鏡（またはフレーム）の２つのレンズの上端部を取り付けるための２つの小さなクランプを保持し、枝部４３は、図示しない方法で、クランプをフレームの枝部に保持する手段を保持することが可能である。このようにして、被験者が眼鏡（補正または光学的中立な、あるいは裸のフレーム）を安定位置に着用し、かつアクセサリ４０が定位置に置かれると直ぐに、前記アクセサリは、被験者の顔に対して明確に規定された位置をとる。
【００６０】
本発明の一態様によれば、アクセサリは、金属またはプラスチックの２つの弾性ブレード４４に対応することもでき、弾性ブレードは、本体の下端部から延び、その湾曲形状は、眼鏡（またはフレーム）のレンズの下端部に合わせるように適合されている。ブレード４４の形状は、また、ブレードをレンズ（またはフレーム）に固定するために変形する際、それらの自由端が、本体に垂直な直線の軌道に従うように適合されている。このようにして、ブレード４４は、測定中に、レンズ（またはフレーム）の同じ場所に常に固定されており、被験者がどのような種類のフレームを有していようとも、被験者の視線を妨げない。
【００６１】
図２に示されるように、アクセサリ４０は、幾つかの数の視覚マーカまたは基準４５、ここでは明確に識別される色、波長が明確に規定された、例えば明るい緑色の８つの正方形領域を備えており、２つの視覚マーカは、枝部４３の一方でこれらの明確に規定された離間位置に位置し、他の２つは、枝部４３の他方に対称的に配置され、最後に、他の４つは、本体に位置している。より正確には、これらの最後のマーカに関し、アクセサリ４０の本体４２は、その上部領域にマーカ４５が設けられた上方突出部４６と、その自由端がマーカ４５である前方突出部４７と、を備える。最後の２つのマーカ４５は、枝部４３の根元部の近くの左側と右側にある。
【００６２】
変形例として、視覚マーカ４５は、格子状などの幾何学的形状とするか、または赤外線スペクトルを発するマーカとすることもできる。
【００６３】
視覚マーカが、顔の特異点である場合、これらの特異点は、特に、瞳孔および／または角膜反射、ならびに被験者のフレームの端部上の点とすることができる。
【００６４】
処理手段３０
処理手段３０は、画像取り込み装置１０によって撮影された、画像Ｉ１，Ｉ２内の視覚マーカの位置、ならびに各画像取り込み時に傾斜計２０によって決定された装置１０の傾斜を分析して、被験者Ｓの視力パラメータを推定する。
【００６５】
そのため、処理手段３０は、画像取り込み装置１０（被験者Ｓの顔の画像Ｉ１，Ｉ２）および傾斜計２０（地面に対する画像取り込み装置１０の傾斜）からのデータを収集および処理するためのプロセッサを備える。その結果は、プロセッサの画面、または該当する場合には画像取り込み装置１０の画面１４に表示することができる。
【００６６】
プロセッサ３０は、画像取り込み装置１０に直接組み込むことができる。これは、特に、画像取り込み装置１０がデジタルタブレットである場合である。全ての計算は、デジタルタブレット１０内で行われる。
【００６７】
変形例として、プロセッサ３０は、画像取り込み装置１０とは別だがその近傍に位置するローカルコンピュータとすることができる。画像取り込み装置１０は、このとき、データ（画像および角度）を、ネットワーク３２（無線または有線）を通じてコンピュータに送信し、コンピュータは、計算を実行し、これが被験者Ｓの視力のパラメータを取得することを可能にする。好適には、システム１は、このとき、本出願の導入部にて引用した文献で説明されるもののような既存の測定システムの補足として組み込むことができ、これにより既存のインターフェイス（ソフトウエア、管理インターフェイス等）から、開発コストの削減や、眼鏡技師が既に既存のシステムを有している場合はシステムの購入コストの削減を可能にし、既に機器を理解している眼鏡技師を安心させる効果が得られる。
【００６８】
この実施形態の変形例において、画像取り込み装置１０がデジタルタブレットである場合、プロセッサの画面は、遠隔オフィスにあるアクセスシステム、例えばＶＮＣ（Virtual Network Computing）プロトコルまたはＲＤＰ（Remote Desktop Protocol）によって、タブレット１０の画面１４に表示することができ、これにより、オペレータのタブレット１０から直接、全ての操作をオペレータが管理することを可能にする。
【００６９】
さらに別の変形例によれば、プロセッサ３０は、遠距離インターネットサーバとすることができ、このサーバは、加えて、それ専用とすることができる。画像Ｉ１，Ｉ２および測定装置の傾斜は、このとき、遠距離サーバ３０に（無線または有線ネットワークによって）送信され、遠距離サーバは、特に画像取り込み装置が結果を表示する画面１４を備える場合には画像取り込み装置１０に直接、または遠距離サーバに接続されるローカルコンピュータに、結果を返送する。
【００７０】
視覚マーカが、被験者Ｓの顔の特異点により形成される場合、プロセッサ３０は、被験者の顔の３次元再構成を実現し、この再構成から、被験者の視力パラメータを決定するために必要な測定結果を作成する手段を備える。
【００７１】
このため、従来技術に基づいて三次元再構成のための三角測量を実行する。アクセサリ４０は、このとき、２点間の少なくとも１つの既知の距離を知ることを可能にする。
【００７２】
変形例として、３次元再構成は、他の任意の従来の写真測量または立体視方法により実行することができる。
【００７３】
顔の特異点を実施する実施形態の変形例において、システム１は、少なくとも２つの画像取り込み装置１０を備え、空間内における互いの位置および方向は既知である。このとき、上述の写真測量および立体視の技術に基づき、２つの画像取り込み装置１０によって同時に撮影された基準画像によって、顔の特異点の位置と、それらの距離とを決定することが可能である。
【００７４】
方法
ここで、本発明に係る被験者Ｓの視力パラメータの決定を補助する方法を説明する。方法１００は、以下、画面と、ビデオカメラと、加速度計２０とを備えるデジタルタブレット１０からなるシステム１により説明する。しかし、これは非限定であり、方法１００は、上述したものに基づく全ての画像取り込み装置１０および傾斜計２０によって実施可能である。
【００７５】
これらの測定を達成するために、被験者Ｓは、まず、被験者の自然な基準姿勢で遠くを見る１１０。このために、被験者は、自身の楽な姿勢をとり、水平面上で真っ直ぐ前方の無限遠点を見る。この姿勢は、課せられた視覚マーカを見たり、鏡を見たりする必要がない範囲で制約されずに自由である。
【００７６】
オペレータは、短距離にある被験者の顔の少なくとも２つの画像Ｉ１，Ｉ２を取り込み１２０、被験者の瞳孔の少なくとも１つが両方の画像に表されるようにして、顔をフレーミングする。このようにして、少なくとも対応する目に関して測定を実行することが可能である。カメラ１１と、被験者Ｓの顔との間が小さな距離（１０センチから１メートルの間）であると仮定すると、画像Ｉ１，Ｉ２は、良好な解像度を得られる。被験者Ｓの顔と、被験者の光軸とに関する画像Ｉ１およびＩ２の取り込み中の、画像取り込み装置１０とビデオカメラ１１との配置の一例を、図４ａおよび図４ｂに示す。
【００７７】
画像取り込み装置１０がビデオカメラである場合、２つの画像Ｉ１、Ｉ２を、２つの異なる視野角から直接撮影すること、または被験者の顔を撮影することのいずれかが可能である。撮影は、被験者Ｓの、複数の異なる画像を、異なる視野角から撮影するようにして行われる。異なる視野角から撮影され、この方法に適切な２つの画像Ｉ１、Ｉ２は、この複数の画像の中から選択される。例えば、ビデオカメラ１０を、横位置と被験者の顔の下の位置との間で、被験者の視線（すなわち、被験者の中心窩領域からの進路）を妨げないことを確認して置き換えることにより、被験者の顔を撮影することが可能である。この画像の選択は、被験者Ｓの異なる視力パラメータを決定することを可能にする。
【００７８】
視覚マーカ４５が、顔の特異点である場合、画像Ｉ１およびＩ２は、好ましくは、２つの別個の画像取り込み装置１０から同時に撮影され、互いの位置および方向は既知である。
【００７９】
任意で、画像取り込みステップ１２０中に、または単純に各画像取り込み時に、照明手段１２を点灯することができる。視覚マーカが、アクセサリに配置されるマーカ４５である場合、照明手段１２は、被験者Ｓの瞳孔を照明するために、タブレット１０ではなくアクセサリ４０自体に配置することができる。
【００８０】
必要な場合、オペレータは、タブレットの画面１４を用いて、被験者Ｓの画像を正しくフレーミングすることを補助することができる。
【００８１】
例えば、オペレータは、被験者Ｓの視野に入り込まないように、被験者の自然な遠方視姿勢を乱さないように、下側から見た前からの画像Ｉ１と、横側からの画像Ｉ２とを、２つの瞳孔が可視となるように９０°未満の角度（例えば、４分の３の視野）で撮影する。
【００８２】
変形例として、オペレータは、被験者の視界を乱さないようにして、顔の横側から異なる角度、例えば被験者Ｓの視野角から２０°および４０°で、２つの画像Ｉ１，Ｉ２を撮影することができる。これらの画像Ｉ１，Ｉ２は、２つの画像Ｉ１，Ｉ２の取り込みの間にタブレット１０を置き換えることにより連続して取得され、またはタブレット１０に２つのカメラ１１を離間して備えるアーム１６を備える間は同時に取得される。
【００８３】
これらの測定中に、画像Ｉ１，Ｉ２が、デジタルタブレット１０によって登録され、一方、加速度計２０は、各画像キャプチャ１３０時にタブレット１０の傾斜を決定する。
【００８４】
画像Ｉ１，Ｉ２およびタブレット１０の傾斜は、プロセッサ３０に送信され、２つの画像Ｉ１，Ｉ２内の様々な視覚マーカのそれぞれの位置を決定し、かつ視覚マーカから、被験者の顔の自然傾斜と自然キャップ角度値とともに、被験者Ｓの輻輳などの視力パラメータを推定する１４０。
【００８５】
視覚マーカの決定は、プロセッサ３０自体により自動で、またはオペレータにより手動で行うことができる。
【００８６】
デジタルタブレット１０は、一般的に触知可能であり、オペレータは、特に、画面１４に表示された画像Ｉ１，Ｉ２を視覚化したり、直接指し示したりすることができる。従って、写真測量および立体視の原理を適用することにより、虹彩、瞳孔の位置を決定することができる。この情報を、プロセッサ３０が用いて、そこから被験者Ｓの輻輳を推定する。
【００８７】
任意で、照明手段１２によって被験者の顔が照明されている場合、プロセッサ３０は、従来の計算方法を用いて、被験者の角膜反射から、および虹彩の位置から、被験者Ｓの輻輳を決定することもできる。
【００８８】
これらの結果を、タブレットの画面１４または近傍に配置されたコンピュータに表示することができる。
【００８９】
被験者の自然なキャップ角度値の測定を改良するために、視対象、好ましくは垂直セグメントを、タブレット１０に固定された投射器１８によって、壁などに投射し、画像取り込み時に、この視対象を見るよう被験者に求めることが可能である。このようにすると、被験者は、その頭部を、ゼロのキャップ角度値に対応する位置に置くようになる。
【００９０】
この視対象は、被験者の顔の傾斜の測定を乱さないように、垂直セグメントとすることができる。
【図１】
2015532129.tif 000003
【図２】
2015532129.tif 000004
【図３】
2015532129.tif 000005
【図４ａ】
2015532129.tif 000006
【図４ｂ】
2015532129.tif 000007
【図５】
2015532129.tif 000008
【国際調査報告】
2015532129.tif 000009
2015532129.tif 000010
2015532129.tif 000011
2015532129.tif 000012
2015532129.tif 000013
2015532129.tif 000014